(57)【特許請求の範囲】
【請求項１】
複数の記録再生層を備え、上記記録再生層はそれぞれ、ランドトラックおよびグルーブトラックと、このランドトラックおよびグルーブトラック上で、1個もしくは複数個のセクタ単位の記録データ領域に対応するように予め記録されたＩＤ情報領域とを備え、これらランドトラックおよびグルーブトラックの少なくとも一方に、記録マークの反射率変化を利用してデータの記録および再生を行う光ディスクにおいて、
前記ＩＤ情報領域に対して、前記光ディスクの半径方向に並ぶように反射率制御領域を設けており、前記ＩＤ情報領域と前記反射率制御領域は半径方向に対して交互に配置され、
また、グルーブトラックが１トラック置きに前記ＩＤ情報領域として分断され、且つ分断された部分はランド部となり、このランド部と隣のランドトラックとの境界にエンボスプリピットが形成され、半径方向に並ぶ前記エンボスプリピットの間に位置するランドトラック及びグルーブトラックは、反射率がランド部に比べて低下された前記反射率制御領域として設定されていることを特徴とする光ディスク。
【請求項２】
アモルファスおよび非晶質間の反射率変化を利用して情報の記録再生を行う相変化型であることを特徴とする請求項１記載の光ディスク。
【請求項３】
上記反射率制御領域は記録マークによって上記平均反射率を低下することを特徴とする請求項１記載の光ディスク。
【請求項４】
記録再生層を複数層有した光ディスクに情報を光学的に記録し、また再生する情報記録装置において、
前記光ディスクの記録再生層はそれぞれ、ランドトラックおよびグルーブトラックと、このランドトラックおよびグルーブトラック上で、1個もしくは複数個のセクタ単位の記録データ領域に対応するように予め記録されたＩＤ情報領域とを備え、これらランドトラックおよびグルーブトラックの少なくとも一方に、記録マークの反射率変化を利用してデータの記録および再生を行われるものであり、かつ前記ＩＤ情報領域に対して、前記光ディスクの半径方向に並ぶように反射率制御領域を設けており、前記ＩＤ情報領域と前記反射率制御領域は半径方向に対して交互に配置され、また、グルーブトラックが１トラック置きに前記ＩＤ情報領域として分断され、且つ分断された部分はランド部となり、このランド部と隣のランドトラックとの境界にエンボスプリピットが形成され、半径方向に並ぶ前記エンボスプリピットの間に位置するランドトラック及びグルーブトラックは、反射率がランド部に比べて低下された前記反射率制御領域として設定されており、
前記情報記録再生装置は、
前記反射率制御領域に対して、前記記録データ領域にデータの記録を行なっている途中に、反射率制御マークとして、前記データのマークの最大長より大きなマークを記録する手段を有したことを特徴とする情報記録再生装置。
【発明の詳細な説明】
【０００１】
【発明の属する技術分野】
本発明は多層の記録再生層を持つ光ディスク及びこれに対して情報を記録再生可能な情報録再装置に関する。
【０００２】
【従来の技術】
光ディスクの大容量化の技術として、単位面積あたり約２倍の容量にすることが可能な、記録再生層を２層に積み重ねる２層技術がある。
【０００３】
この技術を採用した光ディスクの商品として、再生専用の片面２層のＤＶＤ（情報記録面が２層であり、片方の面から読み取り可能なデジタルバーサタイルディスク（ＤＶＤ））があり、記憶容量は８．５４ＧＢと大きい。ＤＶＤは再生専用の光ディスクであるが、記録再生可能な録再型光ディスクにおいても２層技術の学会発表等がなされており、光源等の大きなハードウェアの変更なしで大容量化がはかれる有望な技術と考えられている。
【０００４】
２層ディスクの場合、記録再生層が２層で存在するため、基板表面からの距離が１層目と２層目とでは異なる。このために、一方の層の情報を再生する際に別な層からの情報が洩れ込む、いわゆる層間クロストークが存在する。層間クロストークは記録再生層の層間距離に依存し、層間距離が大きいほど影響が少なくなる。しかし、層間距離が大きいと基板表面からの各層への距離の差が増大するため、球面収差が増大する。逆に層間距離を小さくすると層間クロストークが大きくなるというトレードオフがある。このために、層間距離は、許される球面収差量の範囲内で設計する必要がある。
【０００５】
現状のＤＶＤの片面２層ディスクの規格では、層間距離が５５ｕｍ±１５ｕｍである。これは２層化によって球面収差が増大するが、その増大量が許される光学的収差量の仕様の範囲に収まり、かつ、層間クロストークの影響が許される範囲になるように仕様が決められている。
【０００６】
図１（Ａ），（Ｂ），（Ｃ）は、２層構造の片方の層のデータを再生する際に、もう片方の層に照射される光スポットの様子を示す図である。
【０００７】
記録再生層Ｌ０（図１（Ａ））にビームスポット１０２（図１（Ｂ））を集光した場合には、図１（Ｃ）に示すようにデータを再生してない方の層（Ｌ１）（図１（Ａ））へのスポット１０４（図１（Ｃ））は記録ピットに対して十分大きくなる。
【０００８】
このスポット１０４に対する反射光が再生信号に洩れ込んでくる訳であるが、ＤＶＤ−ＲＯＭのようなあらかじめ全面領域にわたってピットが記録されている場合には、他層からのクロストークは平均的なＤＣ（直流）成分の光量であり、かつ、どの領域でもその洩れ込み量が同程度であることから、再生信号への影響は極力少ない。
【０００９】
一方、録再型光ディスクでは、データの記録再生の際にどの場所に記録再生を行うかを判断するために、ある情報単位毎に物理アドレス等のＩＤ情報があらかじめ記録されている。通常、ＩＤ情報は信頼性、安定性の観点から消去可能な記録マークではなく、エンボスプリピット等の形で光ディスクの基板自体に記録されている消去不可能な場合が多い。例えば、図１３にＤＶＤ−ＲＡＭの物理構造を模式的に示す。ＤＶＤ−ＲＡＭではセクタ単位の情報に対しアドレス情報がエンボスプリピットとして光ディスクの基板自体に記録されている。ＩＤ情報はクロストーク軽減の観点から、記録ゾーン内にて半径方向にアラインされている。
【００１０】
また、グルーブと呼ばれるトラッキング用案内溝が存在し、グルーブトラック１３０１もしくはランドトラック１３０２と呼ばれるグルーブトラック間の領域にデータが記録される。データが記録されるデータ領域はグルーブが存在する領域であり、ＩＤ情報領域はグルーブが分断された領域であることから、これらの領域間では平均の反射率が異なっている。  上述とは別に、グルーブが分断されておらず、ランドとグルーブ間に情報を記録する方法も提案されている。
【００１１】
この方法ではグルーブが分断されてないので、データを記録する前では、ＩＤ情報領域とデータ領域間の反射率はほとんど同じである。
【００１２】
しかし、ＩＤ情報領域には常時データは記録されないため、データ領域にデータを記録すると、データ領域の平均反射率が変化（通常は反射率が低くなる）し、その結果、データ領域とＩＤ情報領域間の反射率に差異が発生する。
【００１３】
【発明が解決しようとする課題】
上述のようなＩＤ情報を半径方向にアラインした物理フォーマット構造の記録再生層の録再型光ディスクにおいては、記録再生層の２層化を考えると、下記のような問題が発生する。
ある層に光スポットを集光し、その層のデータを再生している際に、他層へ照射している光スポットの反射光に起因するクロストークが発生する。
【００１４】
データ再生中に、図２（Ａ）に示すように他層へ照射している光スポット１０４が記録データ領域とＩＤ情報領域の境界部を走査する場合に、上述した通り、記録データ領域とＩＤ情報領域では反射光量のＤＣ成分が異なるため、その時のクロストーク量が大きく変動する。
【００１５】
そのため、再生信号がクロストークにより局所的にＤＣ変動を起こし、データの再生に悪影響を及ぼす問題がある。
【００１６】
そこで本発明の目的は、上記問題点に鑑み２層構造の録再型光ディスクにおいて他層からのクロストークによる局所的なＤＣ変動を抑制することが可能な光ディスクを提供することにある。
【００１７】
【課題を解決するための手段】
この発明の光ディスクでは、複数の記録再生層を備え、上記記録再生層はそれぞれ、ランドトラックおよびグルーブトラックと、このランドトラックおよびグルーブトラック上で、1個もしくは複数個のセクタ単位の記録データ領域に対応するように予め記録されたＩＤ情報領域とを備え、これらランドトラックおよびグルーブトラックの少なくとも一方に、記録マークの反射率変化を利用してデータの記録および再生を行う光ディスクにおいて、前記ＩＤ情報領域に対して、前記光ディスクの半径方向に並ぶように反射率制御領域を設けており、前記ＩＤ情報領域と前記反射率制御領域は半径方向に対して交互に配置され、また、グルーブトラックが１トラック置きに前記ＩＤ情報領域として分断され、且つ分断された部分はランド部となり、このランド部と隣のランドトラックとの境界にエンボスプリピットが形成され、半径方向に並ぶ前記エンボスプリピットの間に位置するランドトラック及びグルーブトラックは、反射率がランド部に比べて低下された前記反射率制御領域として設定されている。
【００１８】
【発明の実施の形態】
以下、本発明の実施の形態について図面を参照して説明する。
【００１９】
図３（Ａ）、（Ｂ）、図４は本発明の実施の形態に係わる第１の光ディスクの物理構造を表す図である。
【００２０】
図３（Ａ），（Ｂ）は光ディスクを断面から見た図である。記録再生層がＬ０，Ｌ１の２層になっている。信号の再生或は記録時には、記録再生装置が、ディスクの片側の表面からレーザー光を照射し、対物レンズ３０１によって再生すべき層にフォーカスし、さらに光ディスク上の案内溝に沿ってトラッキングする。そしてディスクからの反射光を光電変換することで、データの再生を行うことができる。レーザ光源を記録情報により制御することでレーザ光を変調し、記録層に当該レーザ光を照射することで、記録層に情報を記録することができる。
【００２１】
図４はこの光ディスクの記録再生層の物理構造を表面から見た場合の模式的な図である。グルーブトラック４０１およびランドトラック４０２の両方に記録マーク４０３を記録する、いわゆるランド／グルーブ記録タイプの光ディスクである。記録膜は相変化膜で構成されている。この記録膜にレーザー光を照射し、光の強度変調を行なう。記録膜は、照射光パワーの強い領域が結晶状態からアモルファス状態に変化し、記録マーク４０３が形成される。結晶領域とアモルファス領域では反射光の光量差が異なり、反射光の強弱により記録マークの判別をすることで再生信号が得られる。
【００２２】
光ディスクへの情報の記録または再生制御のために、光ディスク上の物理的な位置を得る必要がある。このために、図４に示すようにＩＤ情報領域が設けられ、ＩＤ情報４０４があらかじめエンボスプリピットとしてディスクに記録されている。
【００２３】
データ領域とＩＤ情報領域の間には、この発明の特徴点となる、一定幅の反射率制御領域が設けられ、この反射率制御領域の物理形状はデータ領域と同じランド／グルーブ構造になっており、データ領域に情報を記録するのと同様にマーク記録が可能である。
【００２４】
反射率制御領域にはユーザデータの記録に使用される変調方式のパターンとは異なる長いアモルファスマークがランドトラックとグルーブトラックの両方に記録されている。
【００２５】
次に本発明の効果を説明する。
【００２６】
２層ディスクでは、データ領域とＩＤ情報領域では基板の物理形状が異なる。このために、図２に示すように他層に照射されている光スポットがデータ領域からＩＤ情報領域に変化する個所を走査する場合に、再生信号のＤＣ成分が局所的に大きく変化する。その結果、他層からのクロストーク量のＤＣ成分が局所的に大きく変化し、再生信号に悪影響を与える。
【００２７】
本発明の光ディスクでは、トラック接線方向に関してＩＤ情報領域の前後に反射率制御領域を設けており、通常のアモルファスマークによって反射率制御領域の平均的な反射率を変化させることができる。
【００２８】
例えば、図４では、ランド／グルーブ構造のデータ領域に対してＩＤ情報領域はランド部が多いため、一般的に反射率は高くなる。例えば、アモルファス部の反射率が結晶部の反射率より低いタイプの相変化光ディスクの場合では、データ領域とＩＤ情報領域の間にある反射率制御領域のうち大半の領域をアモルファス部にすることで、この領域の平均的な反射率をデータ領域より低くすることができる。
【００２９】
すなわち、ある層に光スポットが集光され、情報の記録および再生を行っている時に他の層に照射される光スポットは、図２（Ａ）に示すように大きなスポット径であるのでクロストーク量は平均的なＤＣ量である。本発明では、他層に照射される光スポットが、データ領域とＩＤ情報領域の境界付近を走査する場合に、反射率の低い反射率制御領域を通るため、従来の構成と比較して、図５（Ｂ）に示すように再生信号へ与えるクロストーク量の変動を少なくすることが可能になる。図５（Ａ）は、従来のクロストーク量の変動を示している。
【００３０】
本実施例ではＩＤ情報領域のＩＤ情報はグルーブが分断されたランド上のエンボスプリピットとして記録されている場合について説明した。しかし、グルーブが分断されておらず、ランドトラックと隣接したグルーブトラックの境界にＩＤ情報を記録する場合でも同様の効果を得ることができる。
【００３１】
図６はグルーブが分断されておらず、ランドトラックと隣接したグルーブトラックの境界にＩＤ情報を記録する場合に本発明を適用した例である。
【００３２】
ＩＤ情報領域は、ディスクがランド／グルーブ構造になっているため、エンボスプリピットの場合とは異なり、物理構造に起因したデータ領域とＩＤ情報領域の平均の反射率の差はあまりない。
【００３３】
しかしながら、データ領域に記録マークが記録されると、データ領域の平均的な反射率はアモルファス状態の記録マークの分だけ変化（通常は低下）する。この結果、ＩＤ情報領域は、常時、記録マークがない結晶状態になっており、データ領域とＩＤ情報領域では、平均の反射率が異なることになる。
【００３４】
そのため、２層ディスクでは他層にかかっている光スポットがデータ領域とＩＤ情報領域の境界付近を走査する場合、データ領域とＩＤ情報領域では反射率のＤＣ（直流）成分が局所的に大きく変化する。その結果、他層からのクロストーク量のＤＣ成分が局所的に大きく変化し、再生信号に悪影響を与える。
【００３５】
そこで本発明では、図６に示すように反射率制御領域を設けることで、同様の効果により、再生信号へ与えるクロストーク量の変動を少なくすることが可能になる。
【００３６】
図４、図６では、トラック接線方向に対してＩＤ情報が記録されたＩＤ情報領域の両方に連続した位置に一定幅の記録領域を設け、上記記録領域は領域内の平均反射率を制御するための反射率制御用領域とした。しかし、反射率制御領域は、ＩＤ情報領域の前方もしくは後方の一方でも良いことは勿論である。
【００３７】
図７は本発明の実施形態に係わる第２の光ディスクの物理構造を表す図である。第１の実施例と同様に、ランド／グルーブ記録タイプの２層構造の相変化光ディスクである。ランドトラック７０２は、ＩＤ情報領域においても連続している。グルーブトラック７０１は、ＩＤ情報領域では１トラックおきに分断され、ここはランド部となっている。
【００３８】
エンボスプリピット７０４は、グルーブトラック７０１が分断されたランド部と、ランドトラック７０２との境界に位置している。そして、エンボスプリピットがランド／グルーブトラックを一組とすると半径方向に対してひとつ飛びに存在し、半径方向にアラインしている例である。
【００３９】
本実施例では、ＩＤ情報領域と反射率制御領域が半径方向に対して交互に配置されており、ＩＤ情報領域に隣接するトラックのうちＩＤ情報領域に隣接した領域が反射率制御領域になるように配置してある。
【００４０】
反射率制御領域は通常のアモルファスの記録マークによって、この領域の平均的な反射率を変化させることができ、図７では、長いアモルファスマーク７０５を記録した場合を示している。
【００４１】
図７において、ＩＤ情報領域はランド部分が多いため、一般的にランド／グルーブ構造のデータ領域に対してＩＤ情報領域の反射率は高くなる。しかし本発明では、第１の実施例同様に、アモルファス部の反射率が結晶部より低いタイプの相変化光ディスクの場合では、反射率制御領域の大半の領域をアモルファス部にすることで、この領域の平均的な反射率をデータ領域より低くすることができる。
【００４２】
本実施例では、ＩＤ情報領域と反射率制御領域が半径方向に対して交互に配置することで、ある層に光スポットが集光して情報の記録および再生を行っている時に、他層に照射される光スポットがデータ領域とＩＤ情報領域の境界付近を走査する際に、第１の実施例と比較して、平均的な反射光量の変動を少なくすることができる。その結果、再生信号に与えるクロストーク量の変動をより少なくすることが可能になる。
【００４３】
つまり、ＩＤ情報が記録された上記ＩＤ情報領域の隣接トラックの少なくとも一方もしくは両方に一定幅の記録領域が隣接して設けられ、この記録領域は領域内の平均反射率を制御するための反射率制御用領域である。
【００４４】
図８はさらに別の実施例である。この実施例においても、第１の実施例の図６と同様に、グルーブが分断されておらず、ランドトラックと隣接したグルーブトラックの境界にＩＤ情報を記録する場合にても本発明の効果を得ることができる。８０１はグルーブトラック、８０２はランドトラック、８０３はデータ領域における記録マーク、８０４はＩＤ情報領域である。このＩＤ情報領域８０４に反射率制御領域がアモルファスマーク８０５により形成されている。
【００４５】
この場合、ＩＤ情報領域はデータ領域と同じランド／グルーブ構造になっているため、エンボスプリピットの場合とは異なり、物理構造に起因する反射率の差はあまり存在せず、データ領域に記録マークが存在する分だけデータ領域とＩＤ情報領域間に反射率差が生じる。
【００４６】
本発明によれば、反射率制御領域の平均的な反射率を制御することで、データ領域とＩＤ情報領域の平均的な反射率差を抑制することが可能になり、先と同様の効果により、再生信号へ与えるクロストーク量の変動を少なくすることが可能になる。
本実施例は、様々な形態での応用が可能である。
【００４７】
第２の実施例では、ＩＤ情報領域と反射率制御領域が光ディスクの半径方向に対して交互に配置した場合について説明したが、光ディスクでは、ＩＤ情報領域をとびとびに配置せずに、半径方向に連続した状態、かつ、アラインした状態で配置する場合がある。
【００４８】
この場合には、図９、図１０に示すようにＩＤ情報領域と反射率制御領域を千鳥状に配置することで、本発明の効果をそこなわずＩＤ情報の配置を実現することが可能である。
【００４９】
図９において、９０１はグルーブトラック、９０２はランドトラック、９０３はデータ領域における記録マーク、９０４はＩＤ情報領域である。このＩＤ情報領域９０４に反射率制御領域がアモルファスマーク９０５により形成されている。
【００５０】
図１０において、１００１はグルーブトラック、１００２はランドトラック、１００３はデータ領域における記録マーク、１００４はＩＤ情報領域である。このＩＤ情報領域１００４に反射率制御領域がアモルファスマーク１００５により形成されている。
【００５１】
なお、図９は、ＩＤ情報領域９０４のＩＤ情報はグルーブが分断されたランド上のエンボスプリピットとして記録されている例であり、図１０のＩＤ情報領域１００４のＩＤ情報はグルーブが分断されておらず、ランドトラックと隣接したグルーブトラックの境界にＩＤ情報を記録する例である。
【００５２】
また、図１１、図１２は図７、図８と同様にＩＤ情報領域と反射率制御領域が光ディスクの半径方向に対して交互に、また、ＩＤ情報領域に隣接するトラックのうち、ＩＤ情報領域に隣接した領域を反射率制御領域になるように配置してあり、さらに、トラック接線方向に対して、アドレス情報領域と反射率制御領域が交互にあらわれるように配置した光ディスクの例である。
【００５３】
図１１において、１１０１はグルーブトラック、１１０２はランドトラック、１１０３はデータ領域における記録マーク、１１０４、１１０５，１１０６はＩＤ情報領域（エンボスプリピット）である。
【００５４】
図１１において、エンボスプリピット１１０４に対応するデータ領域１１０７の中間に反射率制御領域１１０８を設け、両隣接トラックのアドレス情報領域１１０５、１１０６に隣接した位置に配置している。
【００５５】
この場合には、図９に示す場合と比較して、ＩＤ情報領域を２個所に分割することができ、１個所当たりのＩＤ情報領域の幅を短くすることができる。その結果、再生信号へ与えるクロストーク量の変動量をさらに少なくすることが可能となる。
【００５６】
図１２は図１１においてグルーブが分断されておらず、ランドトラックと隣接したグルーブトラックの境界にＩＤ情報を記録する場合の例であり、本発明の効果が同様に得られる。
【００５７】
１２０１はグルーブトラック、１２０２はランドトラック、１２０３はデータ領域における記録マーク、１２０４はＩＤ情報領域である。このＩＤ情報領域１２０４に反射率制御領域がアモルファスマーク１２０５により形成されている。
【００５８】
以上の実施例においては、データの記録に使用される変調方式のパターンとは異なる非常に長いアモルファスマークがランド／グルーブとも記録されている場合を説明したが、変調方式に使われている長いアモルファスマークと短いスペースの繰り返しパターンでもよい。この場合には、記録パルス生成用の回路を用いて反射率制御が可能となる。また、反射率制御領域には、平均的な反射率が制御できるような形状のアモルファス領域が生成できれば、通常の記録マークにこだわらなくてもよい。
【００５９】
また、エンボスプリピット構造も円形の場合について説明を行ったが、他の形状でも当然、本発明の効果を得ることが可能である。
【００６０】
また、本実施例ではランド／グルーブ記録タイプの相変化光ディスクについて説明を行ったが、ランドもしくはグルーブのみに記録する場合についても同様に適用できる。
【００６１】
次に、上記の光ディスクに対する情報録再装置についての一例を説明する。
【００６２】
図１４に示すように、この情報録再装置は、第１のメディアとしての光ディスク１０を回転駆動し、情報の読み書きを実行するディスクドライブ部２０を有する。また、第２のメディアとしてのハードディスクを駆動するハードディスクドライブ部ＨＤＤを有する。データプロセッサ部２１は、ディスクドライブ部２０２及びハードディスクドライブ部ＨＤＤに記録データを供給することができ、また、再生された信号を受け取ることができる。ディスクドライブ部２０は、光ディスク１０に対する回転制御系、レーザ駆動系、光学系などを有する。
【００６３】
データプロセッサ部２１は、記録或は再生単位のデータを取扱うもので、バッファ回路、変調・復調回路、エラー訂正部などを含む。
【００６４】
またこの録再装置は、録画側を構成するエンコーダ部５０と、再生側を構成するデコーダ部６０と、装置本体の動作を制御するマイクロコンピュータブロック３０とを主たる構成要素としている。
【００６５】
エンコーダ部５０は、入力されたアナログビデオ信号、入力されたアナログオーディオ信号を、デジタル化するビデオ用及びオーディオ用のアナログデジタルコンバータと、ビデオエンコーダと、オーディオエンコーダとを有する。さらにまた、副映像エンコーダも含む。エンコーダ部５０の出力は、バッファメモリを含むフォーマッタ５１にて、所定のＤＶＤ−ＲＡＭのフォーマットに変換され、先のデータプロセッサ部２１に供給される。
【００６６】
エンコーダ部５０には、ＡＶ入力部４１からの外部アナログビデオ信号と外部アナログオーディオ信号、あるいはＴＶ（テレビジョン）チューナ４２からのアナログビデオ信号とアナログ音声信号が入力される。
【００６７】
アナログデジタル変換された、デジタルビデオ信号やデジタルオーディオ信号を、ビデオミキシング部７１、オーディオセレクタ７６に直接供給することもできる。
【００６８】
ビデオエンコーダでは、デジタルビデオ信号は、ＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて、固定ビットレートで圧縮されたデジタルオーディオ信号またはリニアＰＣＭのデジタルオーディオ信号に変換される。
【００６９】
副映像情報がＡＶ入力部４１から入力された場合（例えば副映像信号の独立出力端子付ＤＶＤビデオプレーヤからの信号）、あるいはこのようなデータ構成のＤＶＤビデオ信号が放送され、それがＴＶチューナ４２で受信された場合は、ＤＶＤビデオ信号中の副映像信号が、副映像エンコーダでエンコード（ランレングス圧縮）され、副映像のビットマップとなる。
【００７０】
エンコードされたデジタルビデオ信号、デジタルオーディオ信号、副映像データは、フォーマッタ５１においてパック化され、ビデオパック、オーディオパック、副映像パックとなり、さらにこれらが集合されて、ＤＶＤ‐レコーディング規格（例えばＤＶＤ−ＲＡＭ、ＤＶＤ‐Ｒ、ＤＶＤ−ＲＷなどに記録する規格）で規定されたフォーマットに変換される。
【００７１】
ここで、本装置は、フォーマッタ５１でフォーマット化されたされた情報（ビデオ、オーディオ、副映像データなどのパック）及び作成された管理情報を、データプロセッサ部２１を介してハードディスクドライブ部ＨＤＤに供給し、ハードディスク（あるいは光ディスク１０）に記録することができる。またハードディスク（或は光ディスク１０）に記録された情報を、データプロセッサ部２１、ディスクドライブ部１００２を介して光ディスク１０に記録することもできる。
【００７２】
またハードディスク或は光ディスク１０に記録されている複数番組のビデオオブジェクトを、一部削除したり、異なる番組のオブジェクトを繋げたり、といった編集処理を行うこともできる。
【００７３】
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
【００７４】
マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定等を実行する。
【００７５】
また、マイクロコンピュータブロック３０は、システム全体を制御するために必要な情報処理部を有するもので、ワークＲＡＭ、ディレクトリ検知部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部を備える。
【００７６】
ＭＰＵの実行結果のうち、ユーザに通知すべき内容は、ＤＶＤビデオレコーダの表示部４３に表示されるか、またはモニタディスプレイにＯＳＤ（オンスクリーンディスプレイ）表示される。また、マイクロコンピュータブロック３０には、この装置を操作するための操作信号を与えるキー入力部４４を有する。
【００７７】
なお、マイクロコンピュータブロック３０が、ディスクドライブ部１００２、ハードディスクドライブ部２０、データプロセッサ部２１、エンコーダ部５０及び／またはデコーダ部６０等を制御するタイミングは、システムタイムクロック（ＳＴＣ）３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
【００７８】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダを有する。またデコードされた主映像データにデコードされた副映像データを適宜合成し、主映像にメニュー、ハイライトボタン、字幕やその他の副映像を重ねて出力するビデオプロセッサを備えている。
【００７９】
デコーダ部６０の出力ビデオ信号は、ビデオミキシング部７１に入力される。ビデオミキシング部７１では、テキストデータの合成が行われる。またビデオミキシング部７１には、また、ＴＶチューナ４２やＡ／Ｖ入力部４１からの信号を直接取り込むラインも接続されている。ビデオミキシング部７１には、バッファとして用いるフレームメモリ７２が接続されている。ビデオミキシング部７１の出力がデジタル出力の場合は、インターフェース（Ｉ／Ｆ）７３を介して外部へ出力され、アナログ出力の場合は、デジタルアナログ変換器７４を介して外部へ出力される。
【００８０】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これにより、セレクタ７６は、ＴＶチューナ４１やＡ／Ｖ入力部４２からのデジタル信号を直接モニタするとき、エンコーダ部５０をスルーした信号を直接選択することも可能である。
【００８１】
尚、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。
【００８２】
また、録再ＤＶＤでは、ビデオファイルは１ディスクに１ファイルとしている。またデータをアクセス（シーク）している間に、とぎれないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムでは、このＣＤＡ単位で記録を行っている。
【００８３】
データプロセッサ部２１は、エンコーダ部５０のフォーマッタからＶＯＢＵ単位のデータを受け取り、ＣＤＡ単位のデータを、ディスクドライブ部２０あるいはハードディスクドライブ部ＨＤＤに供給している。またマイクロコンピュータブロック３０のＭＰＵは、記録したデータを再生するのに必要な管理情報を作成し、データ記録終了のコマンドを認識すると、作成した管理情報をデータプロセッサ部２１に送る。これにより、管理情報がディスクに記録される。したがって、エンコードが行なわれているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には、光ディスク及びハードディスクから読み取った管理情報（ファイルシステム）を認識し、各ディスクの未記録エリアを認識し、データの記録エリアをデータプロセッサ部２１を介してディスクに設定している。
【００８４】
ここで、上記の光ディスクに対して反射率制御領域を構成するマークを記録する場合の動作を簡単に説明する。
【００８５】
図１５に示すように、記録動作がスタートすると、２層ディスクであるかどうかを判定し、２層ディスクの場合には、反射率制御領域に対するマーク記録動作を実行する。記録層を決定し、フォーカスを合せ、ディスクの管理情報を読み取り、記録済みアドレス情報から未記録エリアを認識する（ステップＳ１−Ｓ３）。記録がスタートすると、これからデータを記録する位置がＩＤ情報領域の前後の記録位置であるかどうかを判定する。前後の記録位置であれば、反射率制御領域に反射率制御マークを記録する（ステップＳ４、Ｓ５，Ｓ６）。データを記録する位置がＩＤ情報領域の前後でない場合には、データマークを記録する（ステップＳ７）。次に記録停止のコマンドがあったかどうかを判定し、記録停止のコマンドがあれば記録動作を停止し、なければ記録データの準備を行い、ステップＳ５に戻る。つまり本発明の装置は、記録データ領域にデータの記録を行なっている途中に、反射率制御マークとして、前記データのマークの最大長より大きなマークを記録する手段を有するものである。
【００８６】
上記のように本発明に係る記録再生装置では、データを記録するときに、反射率制御領域に反射率制御マークを記録するようにしている。これにより、別の層のデータの読み取り、書き込みが行なわれるときに、データ記録済みの層のＩＤ情報エリアからのクロストークが抑圧される。
【００８７】
【発明の効果】
以上、本発明により、ＩＤ情報領域の隣接した領域を反射率制御領域とし、この領域の反射率を制御することで、２層ディスクにおいて、ある層に光スポットが集光され、情報の記録および再生を行っている時に他層に照射される光スポットが、データ領域とＩＤ情報領域の境界付近を走査する場合に発生する局所的なＤＣ変動を抑制することができ、再生信号へ与えるクロストーク量の変動を少なくすることが可能になる。
【図面の簡単な説明】
【図１】２層構造の光ディスクにおいて片方の層のデータを再生する際に、もう片方の層に照射される光スポット図。
【図２】データ再生中に、他層へ照射している光スポットが記録データ領域とＩＤ報領域の境界部を走査する場合のクロストーク量の変化を示す図。
【図３】２層構造の光ディスクを断面から見た図。
【図４】本発明の実施形態に係わる第１の光ディスクの物理構造を表す図。
【図５】本発明の実施形態に係わる第１の光ディスクの効果を示す図。
【図６】本発明の実施形態に係わる第１の光ディスクの物理構造を表す図。
【図７】本発明の実施形態に係わる第２の光ディスクの物理構造を表す図。
【図８】本発明の実施形態に係わる第２の光ディスクの物理構造を表す図。
【図９】本発明の実施形態に係わる第２の光ディスクの応用例を示す図。
【図１０】本発明の実施形態に係わる第２の光ディスクの他の応用例を示す図。
【図１１】本発明の実施形態に係わる第２の光ディスクの更に他の応用例を示す図。
【図１２】本発明の実施形態に係わる第２の光ディスクのまた他の応用例を示す図。
【図１３】ＤＶＤ−ＲＡＭの物理構造を示す模式図。
【図１４】この発明に係る情報録再装置の構成説明図。
【図１５】図１４の情報録再装置において、本発明の特徴部の動作を説明するために示したフローチャート。
【符号の説明】
１０１、３０１…対物レンズ、１０２…Ｌ０層に集光した光スポット、１０３…情報ピット、１０４、２０４…Ｌ０層を再生する時に、Ｌ１層に照射される光スポット、４０１、６０１、７０１、８０１、９０１、１００１、１１０１、１２０１…グルーブトラック、４０２、６０２、７０２、８０２、９０２、１００２、１１０２、１２０２…グルーブトラック、４０３、６０３、７０３、８０３、９０３、１００３、１１０３、１２０３…記録マーク、４０４、６０４、７０４、８０４、９０４、１００４…ＩＤ情報、１１０４、１１０５、１１０６、１２０４…ＩＤ情報、１１０８…反射率制御領域。
【図１】
0003576121.tif 000002
【図２】
0003576121.tif 000003
【図３】
0003576121.tif 000004
【図４】
0003576121.tif 000005
【図５】
0003576121.tif 000006
【図６】
0003576121.tif 000007
【図７】
0003576121.tif 000008
【図８】
0003576121.tif 000009
【図９】
0003576121.tif 000010
【図１０】
0003576121.tif 000011
【図１１】
0003576121.tif 000012
【図１２】
0003576121.tif 000013
【図１３】
0003576121.tif 000014
【図１４】
0003576121.tif 000015
【図１５】
0003576121.tif 000016